(57)【特許請求の範囲】
【請求項１】
中空状を呈し、外周面の一側に装着部が横方向へ凹設され、内部に横方向の底板が設けられ、該底板の中心に第一貫通孔が形成され、該本体の底部に収容凹部が装着部に向かって凹設され、該収容凹部の底板と離れる側に環状凸縁が設けられ、該本体の相対する両側にそれぞれ縦方向の細長型のガイド穴が形成される本体と、
底部を中空状にするブロックであり、相対する両側にそれぞれ摺動溝及び組立穴が形成され、該摺動溝に係合部が凹設され、該組立穴近傍の外側面に解除穴が形成され、該摺動溝近傍の内側面の中央に解除穴と対応する開口が形成され、前記本体のガイド穴および前記摺動溝を通過する第一ピンを備えるとともに、開口が装着部の内部と対応して底板と当接するように本体に取り付けられる吸着ボタンと、
内端の中央にスリットが凹設され、該スリットの両側にそれぞれ押付け面が設けられ、該押付け面の上面に凸部が設けられ、側面を貫通するように位置決め穴が形成され、第二ピンを備えるとともに、スリット及び凸部が吸着ボタンの内部に位置するように、吸着ボタンに挿し込んで一端が解除穴から突出し、該第二ピンが組立穴及び位置決め穴に貫設される解除ボタンと、
パッド部と、連動柱と、弾性部材とを有し、該連動柱がパッド部の一側面の中心に設けられ、先端に前記第一ピンを通過させる貫通穴が形成され、該弾性部材が連動柱に環設され、該パッド部が本体の収容凹部の環状凸縁に嵌合されるとともに、該連動柱が第一貫通孔を通過して装着部の内部に挿し込まれる吸着パッドと、
を有することを特徴とする吸盤。
【請求項２】
前記本体の装着部と反対する側に湾曲状のフックが延設されていることを特徴とする請求項１に記載の吸盤。
【請求項３】
前記本体における底部と反対する側に第二貫通穴が形成され、該第二貫通穴の相対する両側にそれぞれ耳部が延設され、該耳部に枢設穴が形成され、該第二貫通穴かつ耳部との間に噛合部材が設置され、該噛合部材の第二貫通穴と反対する側に噛合部が凸設されていることを特徴とする請求項１に記載の吸盤。
【請求項４】
前記吸着ボタンにおいて、一端から他端へ斜め上方に延設され、該他端に係合部が凹設された摺動溝と、該摺動溝を有する相対する両側の一端近傍に細長状かつ水平に形成された組立穴を有することを特徴とする請求項１乃至３の何れか１項に記載の吸盤。
【請求項５】
前記吸着ボタンの内側面の開口の近傍に２つのクッションが設置されていることを特徴とする請求項１乃至４の何れか１項に記載の吸盤。
【請求項６】
前記弾性部材における、一端がパッド部と当接し、他端が装着部の底板と当接していることを特徴とする請求項１乃至３の何れか１項または請求項５に記載の吸盤。
【発明の詳細な説明】
【技術分野】
【０００１】
本発明は、特に操作方法が簡単で自由自在に吸着したり取り外したりすることができる吸盤に関するものである。
【背景技術】
【０００２】
吸盤は、物の平坦面に吸着することができ、日常生活によく使用する道具である。その使い方は、例えば、吸盤によりカーナビを車のフロントガラスに吸着し、或いは、フック付の吸盤により歯ブラシまたはタオルをトイレの壁に掛止し、或いは、ハンガー付の吸盤によりカバンなどのものを壁またはテーブルに掛ける。現代生活は忙しくて時間が切迫しがちなので、使用者が暮らしやすい空間を作るために、吸盤を様々な平坦面を有する物に自由自在に吸着したり取り外したりして物を簡単に掛止することができる。
【０００３】
既存の吸盤を壁に吸着する時に、使用者がボタンを回転して吸着パットを壁にピッタリと押し付け、或いは、吸着パットを押し込んで壁にピッタリと貼り付き、吸着パットと壁との間を真空状態とすると、吸盤をしっかりと壁に掛止することができる。一方、吸盤を壁から取り外す時に、使用者がボタンを逆方向に回転して吸着パットを変形させるように引っ張り、或いは、指または爪で吸着パットの周縁と壁との間に挿し込み、外部の空気を吸着パットと壁との間に流入して真空状態を解除すると、吸盤を壁から取り外すことができる。
【先行技術文献】
【特許文献】
【０００４】
【特許文献１】台湾実用新案第Ｍ４７３４５１号
【発明の概要】
【発明が解決しようとする課題】
【０００５】
しかしながら、既存の吸盤を使用する時に、壁に吸着したり取り外したりする操作が複雑で、使用上に非常に不便であるので、その操作仕方を簡単にするように改善しました。
【課題を解決するための手段】
【０００６】
本発明に係る吸盤は、本体と、吸着ボタンと、解除ボタンと、吸着パッドとを有し、
その内、前記本体は、中空状を呈し、外周面の一側に装着部が横方向へ凹設され、内部に横方向の底板が設けられ、該底板の中心に第一貫通孔が形成され、該本体の底部に収容凹部が装着部に向かって凹設され、該収容凹部の底板と離れる側に環状凸縁が設けられ、該本体の相対する両側にそれぞれ縦方向の細長型のガイド穴が形成され、
前記吸着ボタンは、底部を中空状にするブロックであり、相対する両側にそれぞれ摺動溝及び組立穴が形成され、該摺動溝に係合部が凹設され、該組立穴近傍の外側面に解除穴が形成され、該摺動溝近傍の内側面の中央に解除穴と対応する開口が形成され、第一ピンを備え、組み立てる時に、開口が装着部の内部と対応して底板と当接するように本体に取り付け、
前記解除ボタンは、内端の中央にスリットが凹設され、該スリットの両側にそれぞれ押付け面が設けられ、該押付け面の上面に凸部が設けられ、側面を貫通するように位置決め穴が形成され、第二ピンを備え、組み立てる時に、スリット及び凸部が吸着ボタンの内部に位置するように、吸着ボタンに挿し込んで一端が解除穴から突出し、該第二ピンが組立穴及び位置決め穴に貫設され、
前記吸着パッドは、パッド部と、連動柱と、弾性部材とを有し、該連動柱がパッド部の一側面の中心に設けられ、先端に貫通穴が形成され、該弾性部材が連動柱に環設され、組み立てる時に、該パッド部が本体の収容凹部の環状凸縁に嵌合され、該連動柱が第一貫通孔を通過して装着部の内部に挿し込まれ、
また、前記第一ピンを、本体のガイド穴、吸着ボタンの摺動溝、連動柱の貫通穴を通過することによって、本体、吸着ボタン、吸着パッドを組み立てるものである。
【０００７】
かかる吸盤において、前記本体の装着部と反対する側に湾曲状のフックが延設されることが好ましい。
【０００８】
かかる吸盤において、前記本体における底部と反対する側に第二貫通穴が形成され、該第二貫通穴の相対する両側にそれぞれ耳部が延設され、該耳部に枢設穴が形成され、該第二貫通穴かつ耳部との間に噛合部材が設置され、該噛合部材の第二貫通穴と反対する側に噛合部が凸設されることが好ましい。
【０００９】
かかる吸盤において、前記吸着ボタンにおける、摺動溝の一端から他端へ斜め上方に延設され、該他端に係合部が凹設され、また、組立穴が細長状かつ水平に形成されると共に、摺動溝を有する相対する両側の一端近傍に形成されることが好ましい。
【００１０】
かかる吸盤において、前記吸着ボタンの内側面の開口の近傍に２つのクッションが設置されることが好ましい。
【００１１】
かかる吸盤において、前記弾性部材における、一端がパッド部と当接し、他端が装着部の底板と当接することが好ましい。
【発明の効果】
【００１２】
上述したように構造を有すれば、本発明に係る吸盤を操作する時に、吸着ボタン２０を押すと、吸盤を壁などの固定面に吸着することができ、解除ボタン３０を押すと、吸盤を固定面から取り出すことができ、操作方法がかなり簡単であり、使用上に非常に便利であった。
【図面の簡単な説明】
【００１３】
【図１】本考案に係る吸盤の実施例の斜視図である。
【図２】本考案に係る吸盤の実施例の分解斜視図である。
【図３】本考案に係る吸盤の実施例の底面視斜視図である。
【図４】本考案に係る吸盤の実施例の断面図である。
【図５】本考案に係る吸盤の実施例において、吸着状態を示す断面図である。
【図６】本考案に係る吸盤の他の実施例の斜視図である。
【図７】本考案に係る吸盤の他の実施例において、使用状態を示す斜視図である。
【図８】本考案に係る吸盤の他の実施例において、もう１つの使用状態を示す斜視図である。
【発明を実施するための形態】
【００１４】
図１及び図２に示すように、本発明に係る吸盤は、本体１０と、吸着ボタン２０と、解除ボタン３０と、吸着パッド４０とを有する。
【００１５】
図２及び図３に示すように、前記本体１０は、中空状を呈し、外周面の一側に装着部１１が横方向へ凹設され、内部に横方向の底板１１１が設けられ、該底板１１１の中心に第一貫通孔１１２が形成される。該第一貫通孔１１２は、多辺形の穴である。その本体１０の底部１００に収容凹部１２が装着部１１に向かって凹設され、該収容凹部１２は、第一貫通孔１１２を介して装着部１１と連通し、底板１１１と離れる側に環状凸縁１２１が設けられる。該本体１０の相対する両側にそれぞれ縦方向のガイド穴１３が形成され、該ガイド穴１３は、細長型の穴である。本実施例における本体１０は、半球状を呈し、装着部１１と反対する側に湾曲状のフック１４が延設される。
【００１６】
図１、図２、図４に示すように、前記吸着ボタン２０は、底部を中空状にするブロックであり、相対する両側にそれぞれ摺動溝２１が形成され、該摺動溝２１は、一端から他端へ斜め上方に形成され、該他端に係合部２１１が凹設され、また、該吸着ボタン２０の相対する両側の一端近傍にそれぞれ細長状の組立穴２２が水平に形成され、該吸着ボタン２０における組立穴２２近傍の外側面に解除穴２３が形成され、該吸着ボタン２０における摺動溝２１近傍の内側面の中央に開口２４が形成され、その解除穴２３が開口２４と対応するように形成される。さらに、該吸着ボタン２０は、第一ピン２５及び２つのクッション２６を備える。
その吸着ボタン２０を本体１０に取り付ける時に、該吸着ボタン２０の開口２４が装着部１１の内部と対応すると共に、該吸着ボタン２０の底部が底板１１１と当接するように、装着部１１に取り付けられる。それらのクッション２６はそれぞれ、吸着ボタン２０の内側面の開口２４近傍に設置される。
【００１７】
図１、図２、図４に示すように、前記解除ボタン３０は、ブロックであり、内端の中央にスリット３１が凹設され、該スリット３１の両側にそれぞれ押付け面３２１が設けられ、該押付け面３２１の上面に凸部３２が設けられ、該解除ボタン３０の側面を貫通するように位置決め穴３３が形成される。該解除ボタン３０は、第二ピン３４を備える。
その解除ボタン３０を本体１０及び吸着ボタン２０に組み立てる時に、該解除ボタン３０は、吸着ボタン２０の開口２４から挿し込んで一端が解除穴２３から外部へ突出しながら位置決め穴３３も組立穴２２と対応する。該第二ピン３４が組立穴２２及び位置決め穴３３に貫設されることによって、吸着ボタン２０及び解除ボタン３０を組み合わせる。
【００１８】
図２及び図４に示すように、前記吸着パッド４０は、パッド部４１と、連動柱４２と、弾性部材４３とを有する。
【００１９】
前記連動柱４２は、パッド部４１の一側面の中心に設けられ、上端に貫通穴４２１が形成される。前記弾性部材４３は、連動柱４２に環設され、下端がパッド部４１と当接する。
その吸着パッド４０を組み立てる時に、吸着パッド４０における、パッド部４１が本体１０の収容凹部１２の環状凸縁１２１に嵌合され、連動柱４２が第一貫通孔１１２を通過して装着部１１の内部に挿し込まれる。その第一ピン２５を、本体１０のガイド穴１３、吸着ボタン２０の摺動溝２１、連動柱４２の貫通穴４２１を通過することによって、本体１０、吸着ボタン２０吸着パッド４０を組み立てることができる。また、その弾性部材４３の上端が装着部１１の底板１１１と当接して収容凹部１２に位置する。
本実施例におけるパッド部４１は、変形可能な材質からなることから、変形しても復位することが可能であり、また、弾性部材４３は、圧縮ばねである。
【００２０】
図５に示すように、本発明に係る吸盤を固定面Ｆに吸着する時に、使用者が吸着ボタン２０を本体１０の装着部１１の内部へ押し込み、吸着ボタン２０の斜め上方に延設した摺動溝２１によって、第一ピン２５を本体１０のガイド穴１３に沿って上方へ移動させ、また、第一ピン２５が吸着パッド４０の連動柱４２をつれて上方へ移動することから、吸着パッド４０のパッド部４１を上方へ引っ張って弾性部材４３を圧縮する。そして、第一ピン２５が摺動溝２１の最も上端に移動して係合部２１１に係合すると、弾性部材４３を圧縮した状態を保持することができ、また、パッド部４１の中心部をやや変形して上方へ引っ張って固定面Ｆとの間に真空区Ｖとなり、吸盤を固定面Ｆに吸着することができる。
【００２１】
一方、上述した吸着ボタン２０を押し込んで連動柱４２を上方へ移動する過程において、吸着ボタン２０に開口２４を形成することから、連動柱４２が開口２４を通って吸着ボタン２０の内部に移動することができる。また、それらのクッション２６を設置することによって、吸着ボタン２０を押して吸盤を装着する時に、その吸着ボタン２０の開口２４近傍の壁が本体１０の装着部１１の内周面に衝撃することを防止する。
【００２２】
図２及び図５に示すように、本発明に係る吸盤を固定面Ｆから取り外す時に、使用者が解除ボタン３０を本体１０の装着部１１の内部へ押し込んで、位置決め穴３３に挿設した第二ピン３４が吸着ボタン２０の組立穴２２に沿って移動し、この時、押付け面３２１が第一ピン２５と接触しながら第一ピン２５を押し上げ、第一ピン２５を摺動溝２１の係合部２１１から脱出させると、弾性部材４３が自らの付勢力により復位しながら、パッド部４１を押して連動柱４２を解除ボタン３０のスリット３１から下方へ離れ、このため、パッド部４１を平坦状に戻り、吸盤の吸着状態が解除できる。
【００２３】
図６に示すように、本発明に係る吸盤の他の実施例は、殆ど上述した実施例と同一であるが、以下の点において異なる。
本実施例の本体１０Ａにおける底部１００Ａと反対する側に第二貫通穴１５が形成され、該第二貫通穴１５の相対する両側にそれぞれ耳部１６が延設され、該耳部１６に枢設穴１６１が形成され、その第二貫通穴１５かつ耳部１６との間に噛合部材１７が設置され、該噛合部材１７の第二貫通穴１５と反対する側に噛合部１７１が凸設される。
【００２４】
図７に示すように、本実施例において、２つの本体１０Ａを同時に使用し、また、棒体５０及び複数のフック部材６０も有する。また、その棒体５０が複数のフック部材６０の結合穴６１を通過して両端がそれぞれ本体１０Ａの耳部１６の枢設穴１６１に挿設される。その本体１０Ａを壁などに吸着すると、多くのものを同時に掛けられ、実用性を向上させる。
【００２５】
図６及び図８に示すように、本発明に係る吸盤のもう１つの実施例は、２つの吸盤とアーム７０とを組み合わせて構成するものである。そのアーム７０は、棒状を呈し、両端にそれぞれ枢設軸部材７１が設置され、該枢設軸部材７１の相対する両側にそれぞれ軸７２が凸設され、該枢設軸部材７１の外周面に複数のリブ７３が間隔をおいて設けられる。該アーム７０における、軸７２が本体１０Ａの耳部１６の枢設穴１６１に枢設され、何れかの１つのリブ７３が噛合部材１７の噛合部１７１に係合することができる。
【００２６】
図８に示すように、吸盤を実際に使用する例において、一方の吸盤を車のフロントガラスや、壁、テーブルなどの平坦面を有する物に吸着し、他方の吸盤をカーナビや、携帯電話、タッチパネルなどの設備に吸着し、その設備の使用角度を調整する時に、アーム７０の軸７２を枢設穴１６１に対して回動して、適当に調整すると、リブ７３が噛合部材１７の噛合部１７１に噛合して位置決めることができる。
【符号の説明】
【００２７】
１０、１０Ａ        本体
１００、１００Ａ    底部
１１                装着部
１１１              底板
１１２              第一貫通孔
１２                収容凹部
１２１              環状凸縁
１３                ガイド穴
１４                フック
１５                第二貫通穴
１６                耳部
１６１              枢設穴
１７                噛合部材
１７１              噛合部
２０                吸着ボタン
２１                摺動溝
２１１              係合部
２２                組立穴
２３                解除穴
２４                開口
２５                第一ピン
２６                クッション
３０                解除ボタン
３１                スリット
３２                凸部
３２１              押付け面
３３                位置決め穴
３４                第二ピン
４０                吸着パッド
４１                パッド部
４２                連動柱
４２１              貫通穴
４３                弾性部材
５０                棒体
６０                フック部材
６１                結合穴
７０                アーム
７１                枢設軸部材
７２                軸
７３                リブ
Ｆ                  固定面
Ｖ                  真空区
【要約】
【課題】特に操作方法が簡単で、自由自在に吸着したり取り外したりすることができる吸盤を提供する。
【解決手段】本発明に係る吸盤は、本体と、吸着ボタンと、解除ボタンと、吸着パッドとを有し、その内、該本体の外周面の一側に装着部が凹設され、該吸着ボタンが進退可能に装着部に取り付け、該解除ボタンが進退可能に吸着ボタンに挿し込んでその一端が吸着ボタンから突出し、該吸着パッドは、パッド部と、連動柱と、弾性部材とを有し、該パッド部が本体の底部に嵌合され、該連動柱が本体の装着部に挿し込まれて吸着ボタンと連動され、また、第一ピンによって、本体、吸着ボタン吸着パッドの連動柱を組み立てそれぞれ作動することができ、使用時に、その吸着ボタンを本体に対して押し込むと、吸着パッドを引っ張ってものに吸着することができ、一方、その解除ボタンを吸着ボタンに対して押し込むと、吸着パッドを解放してものから取り外すことができる。
【選択図】図２【図１】
0005897665.tif 000002
【図２】
0005897665.tif 000003
【図３】
0005897665.tif 000004
【図４】
0005897665.tif 000005
【図５】
0005897665.tif 000006
【図６】
0005897665.tif 000007
【図７】
0005897665.tif 000008
【図８】
0005897665.tif 000009